(57)【要約】【目的】  移動通信装置および音響装置からの音声信号を同時受信してステレオ音声ヘッドセットへ伝送するブルートゥース装置とブルートゥース・ヘッドセットとを提供する。【解決手段】  ブルートゥース装置２００は、ステレオ・ヘッドセット・マイクロホン３００を接続するオーディオ出力ポート２１０と、オーディオ出力ポート２１０に接続され、移動通信装置３６０のブルートゥース送受信器３６５に呼応して移動通信装置３６０の提供する信号を送受信するブルートゥース送受信器２３０と、オーディオ出力ポート２１０および音響装置３３０のオーディオ出力ポート３３５に接続されるオーディオ入力ポート２２０とを含み、ブルートゥース送受信器２３０が移動通信装置３６０の提供する着信信号を受信した時、ステレオ・ヘッドセット・マイクロホン３００へ伝送していた音響装置３３０からの音声信号を移動通信装置３６０の提供する音声信号に切り換える。【選択図】  図２
2006114940.tif 000002
【特許請求の範囲】
【請求項１】
ステレオ・ヘッドセット・マイクロホンへの接続に適するとともに、移動通信装置および音響装置に対する信号の送受信に適したブルートゥース（bluetooth ）装置であって、前記移動通信装置が第１ブルートゥース送受信器を備え、前記音響装置が第１オーディオ出力ポートを備えるものにおいて、
前記ブルートゥース装置が、
前記ステレオ・ヘッドセット・マイクロホンを接続する第２オーディオ出力ポートと、
前記第２オーディオ出力ポートに接続され、かつ前記第１ブルートゥース送受信器に呼応して前記移動通信装置の提供する信号を送受信する第２ブルートゥース送受信器と、
前記第２オーディオ出力ポートに接続され、かつ前記音響装置の前記第１オーディオ出力ポートに接続されるオーディオ入力ポートとを含むとともに、
前記第２ブルートゥース送受信器が前記移動通信装置の提供する着信信号を受信した時、前記ステレオ・ヘッドセット・マイクロホンへ伝送していた音声信号を前記移動通信装置の提供する音声信号に切り換えるように構成されていることを特徴とする音響装置に外部接続可能なブルートゥース装置。
【請求項２】
上記オーディオ入力ポートが、リード線により上記音響装置の上記第１オーディオ出力ポートへ接続されるものであることを特徴とする請求項１記載の音響装置に外部接続可能なブルートゥース装置。
【請求項３】
上記ブルートゥース装置が、さらに、
上記第２ブルートゥース送受信器に接続されるマイクロホンと、
上記第２ブルートゥース送受信器に接続されるスピーカーと、
を含むものであることを特徴とする請求項１または２記載の音響装置に外部接続可能なブルートゥース装置。
【請求項４】
上記ブルートゥース装置が、さらに、
電池を含み、上記電池が、前記ブルートゥース装置の必要とする電力を供給するものであることを特徴とする請求項１記載の音響装置に外部接続可能なブルートゥース装置。
【請求項５】
上記音響装置が、ＭＰ３携帯用小型ヘッドホンステレオ、ＣＤ携帯用小型ヘッドホンステレオ、テレビ、ラジオ、ＶＣＤ（ビデオＣＤ）プレーヤー、ＤＶＤプレーヤー、ノート型パソコン、パーソナル・デジタル・アシスタント（ＰＤＡ）、カー・オーディオ、ホーム・オーディオを含むものであることを特徴とする請求項１記載の音響装置に外部接続可能なブルートゥース装置。
【請求項６】
移動通信装置および音響装置に対する信号の送受信に適するブルートゥース・ヘッドセットであって、前記移動通信装置が第１ブルートゥース送受信器を備え、前記ブルートゥース・ヘッドセットがリード線により前記音響装置のオーディオ出力ポートに接続されるものにおいて、
前記ブルートゥース・ヘッドセットが、
第１スピーカーおよび第２ブルートゥース送受信器ならびにオーディオ入力ポートを内蔵するとともに、前記第１スピーカーが前記第２ブルートゥース送受信器および前記オーディオ入力ポートに接続され、前記第２ブルートゥース送受信器が前記第１ブルートゥース送受信器に呼応して前記移動通信装置の提供する信号を送受信し、前記オーディオ入力ポートが前記リード線に接続されるものである第１ユニットと、
前記第２ブルートゥース送受信器に接続されるマイクロホンと、
第２スピーカーを内蔵し、前記第２スピーカーが前記第２ブルートゥース送受信器および前記オーディオ入力ポートに接続される第２ユニットとを含むとともに、前記第２ブルートゥース送受信器が前記移動通信装置の提供する着信信号を受信した時、前記第１スピーカーおよび前記第２スピーカーのうち少なくとも１つに伝送していた音声信号を前記移動通信装置の提供する音声信号に切り換えるものであることを特徴とする音響装置に外部接続可能なブルートゥース・ヘッドセット。
【請求項７】
上記第２ユニットが、電池を内蔵しており、上記電池が、上記ブルートゥース・ヘッドセットの必要とする電力を供給するものであることを特徴とする請求項６記載の音響装置に外部接続可能なブルートゥース・ヘッドセット。
【請求項８】
上記音響装置が、ＭＰ３携帯用小型ヘッドホンステレオ、ＣＤ携帯用小型ヘッドホンステレオ、テレビ、ラジオ、ＶＣＤ（ビデオＣＤ）プレーヤー、ＤＶＤプレーヤー、ノート型パソコン、パーソナル・デジタル・アシスタント（ＰＤＡ）、カー・オーディオ、ホーム・オーディオを含むものであることを特徴とする請求項６記載の音響装置に外部接続可能なブルートゥース・ヘッドセット。
【発明の詳細な説明】
【技術分野】
【０００１】
本発明は、ブルートゥース装置（bluetooth device）およびブルーゥース・ヘッドセット（bluetooth headset ）に関し、特に、音響装置（audio equipment ）に外部接続可能な、ブルートゥース装置およびブルートゥース・ヘッドセットに関するものである。
【背景技術】
【０００２】
科学技術の絶え間ない進歩にともない、電子製品は、軽薄短小へ向けて発展し続けており、人々は、いつでもどこでも小型化された電子製品、例えばラジオや携帯用ヘッドホンステレオを使用することができる。また、パーソナル・デジタル製品の普及につれて、例えば、よく見かけるＭＰ３（MPeg1 audio layer3）携帯用ヘッドホンステレオ、携帯電話、パーソナル・デジタル・アシスタント（Personal Digital Assistant； PDA）またはノート型パソコンなどが日常生活に欠かせないものとなっている。さらに、ラジオおよびＭＰ３機能を結合した携帯電話も既に出現している。
【０００３】
上記した電子製品のいずれであっても、ユーザーが周囲の人間に迷惑をかけないよう電子製品の提供する音声情報を楽しむために、ヘッドセットが電子製品に必要不可欠な付属品となっている。また、ヘッドセットは、聴く者に良好な音声伝達を行って、音声の内容をはっきりと聞き取らせて理解させることができるので、空気中を伝わる音声がはっきりしない状況とは異なって、とりわけ運動中、運転中、激しい活動または賑やか環境においても影響を受けることがない。
【０００４】
携帯電話の使用において、電磁波が人体に及ぼす障害を低下させると同時に、ユーザーの両手がふさがっている状態においても携帯電話の利便性を活用するために、最近では、ブルートゥース・ヘッドセットが開発されている。ブルートゥース・ヘッドセットは、「ブルートゥース」という無線通信規格を採用しており、その主要な特性は、無方向性であり、音声とデータとを処理することができ、同時に多くの装置と接続することができ、低電力で、省電力機能があり、使用が容易で、伝送夾角の制限が無く、しかも壁を透過することができるので、すでに携帯電話に組み合わせる無線ヘッドセットの最良な選択肢とされている。
【発明の開示】
【発明が解決しようとする課題】
【０００５】
しかしながら、現在、市場で見かけるブルートゥース・ヘッドセットは、大部分が携帯電話の着信を聴取することができるだけであり、ユーザーがブルートゥース・ヘッドセットを耳に掛けている時には、音楽、放送またはその他の音声情報を聴取することができず、非常に不便である。もちろん、高価な携帯電話には、ＭＰ３放送あるいはＦＭラジオの機能を備えたものがあり、ブルートゥース技術を介して音声情報をブルートゥース・ヘッドセットへ伝送することができる。但し、携帯電話によりブルートゥース技術でステレオ音声をブルートゥース・ヘッドセットへ送る設備コストは極めて高く、携帯の末端およびブルートゥース・ヘッドセットの末端のいずれにもステレオ音声のブルートゥース送受信器を採用する必要があるため、そのコストは、一般のブルートゥース・ヘッドセットが電話時に使用するモノラル・ブルートゥース送受信器を採用するだけのものとは違って、遙かに高いものとなる。
【０００６】
さらに、携帯電話だけによって提供されるＭＰ３の曲目選択には制限があり、もしもユーザーが曲目を大量に変更したり、映画を鑑賞したり、あるいはその他の音響装置を使用したりしたい時には、ブルートゥース・ヘッドセットを外して音響装置のステレオヘッドセットを使用しなければならない。このようにすると、ユーザーがステレオヘッドセットで音響装置の音声信号を聴いている時に、携帯電話に着信して受信音または振動があったとしても、ユーザーが気付くことは困難である。従って、現在の市場で見かけるブルートゥース・ヘッドセットの設計では、ユーザーが携帯電話の着信を待ちながら同時にその他の音響装置の提供するサウンドを楽しむことができない。
【０００７】
そこで、この発明の目的は、移動通信装置およびその他の音響装置の提供する音声信号を同時に受信できるとともに、上記音声信号をブルートゥース装置に接続されたステレオ・ヘッドセット・マイクロホンへ伝送することができる、音響装置に外部接続可能なブルートゥース装置を提供することにある。
また、この発明の別な目的は、移動通信装置およびその他の音響装置の提供する音声信号を同時に受信できる、音響装置に外部接続可能なブルートゥース・ヘッドセットを提供することにある。
【課題を解決するための手段】
【０００８】
上記課題を解決して、所望の目的を達成するために、この発明にかかる音響装置に外部接続可能なブルートゥース装置は、ステレオ・ヘッドセット・マイクロホンへの接続に適するとともに、移動通信装置および音響装置に対する信号の送受信に適したブルートゥース装置であって、移動通信装置が第１ブルートゥース送受信器を備え、音響装置が第１オーディオ出力ポート（first audio-out port）を備えるものである。
【０００９】
上記ブルートゥース装置が、
ステレオ・ヘッドセット・マイクロホンを接続する第２オーディオ出力ポートと、第２オーディオ出力ポートに接続され、かつ第１ブルートゥース送受信器に呼応して移動通信装置の提供する信号を送受信する第２ブルートゥース送受信器と、第２オーディオ出力ポートに接続され、かつ音響装置の第１オーディオ出力ポートに接続されるオーディオ入力ポート（audio-in port）とを含むものである。
【００１０】
そのうち、上記第２ブルートゥース送受信器が、移動通信装置の提供する着信信号を受信した時、ステレオ・ヘッドセット・マイクロホンへ伝送していた音声信号を移動通信装置の提供する音声信号に切り換えるように構成されている。
【００１１】
上記オーディオ入力ポートが、リード線により音響装置の第１オーディオ出力ポートへ接続されるものである。
また、上記ブルートゥース装置が、さらに、第２ブルートゥース送受信器に接続されるマイクロホンと、第２ブルートゥース送受信器に接続されるスピーカーとを含むものである。
上記ブルートゥース装置が、さらに、電池を含み、上記電池が、ブルートゥース装置の必要とする電力を供給するものである。
【００１２】
また、上記課題を解決して、所望の目的を達成するために、この発明にかかる音響装置に外部接続可能なブルートゥース・ヘッドセットは、移動通信装置および音響装置に対する信号の送受信に適するブルートゥース・ヘッドセットであって、前記移動通信装置が第１ブルートゥース送受信器を備え、前記ブルートゥース・ヘッドセットがリード線により前記音響装置のオーディオ出力ポートに接続されるものにおいて、ブルートゥース・ヘッドセットが、第１スピーカーおよび第２ブルートゥース送受信器ならびにオーディオ入力ポートを内蔵するとともに、第１スピーカーが第２ブルートゥース送受信器およびオーディオ入力ポートに接続され、第２ブルートゥース送受信器が第１ブルートゥース送受信器に呼応して移動通信装置の提供する信号を送受信し、オーディオ入力ポートがリード線に接続されるものである第１ユニットと、第２ブルートゥース送受信器に接続されるマイクロホンと、第２スピーカーを内蔵し、第２スピーカーが第２ブルートゥース送受信器およびオーディオ入力ポートに接続される第２ユニットとを含むとともに、第２ブルートゥース送受信器が移動通信装置の提供する着信信号を受信した時、第１スピーカーおよび第２スピーカーのうち少なくとも１つに伝送していた音声信号を移動通信装置の提供する音声信号に切り換えるものである。
上記第２ユニットが、電池を内設して、上記電池が、ブルートゥース・ヘッドセットの必要とする電力を供給するものである。
【００１３】
上記音響装置が、ＭＰ３携帯用小型ヘッドホンステレオ、ＣＤ携帯用小型ヘッドホンステレオ、テレビ、ラジオ、ＶＣＤ（ビデオＣＤ）プレーヤー、ＤＶＤプレーヤー、ノート型パソコン、パーソナル・デジタル・アシスタント（ＰＤＡ）、カー・オーディオ、ホーム・オーディオを含むものである。
【００１４】
以上をまとめれば、この発明の音響装置に外部接続可能なブルートゥース装置および音響装置に外部接続可能なブルートゥース・ヘッドセットは、コストをあまり増大させることなく、ユーザーが電話の着信を待ちながら同時にその他の外部接続した音響装置の提供するＭＰ３、放送などの音声情報を楽しむことができ、しかも適時に電話を受けることができ、重要な電話の着信を逃すことがないものである。
【発明を実施するための最良の形態】
【００１５】
以下、この発明にかかる好適な実施形態を図面に基づいて説明する。
【００１６】
＜第１実施例＞
図１は、この発明の第１実施例にかかるブルートゥース装置とステレオ・ヘッドセット・マイクロホンと移動通信装置と音響装置との接続関係を示す説明図であり、図２は、図１のブロック図である。図１および図２において、この第１実施例の音響装置に外部接続可能なブルートゥース装置２００は、使用時に、ステレオ・ヘッドセット・マイクロホン３００および音響装置３３０に接続されるとともに、ブルートゥース技術により移動通信装置３６０との無線通信を行うものである。そのうち、移動通信装置３６０は、ブルートゥース送受信器（第１ブルートゥース送受信器）３６５を内蔵し、音響装置３３０は、オーディオ出力ポート（第１オーディオ出力ポート）３３５を備えている。移動通信装置３６０は、一般的な携帯電話、あるいは、例えば、ＭＰ３放送、パーソナル・デジタル・アシスタント（ＰＤＡ）、カメラ、映画放送などの各種機能を統合したインテリジェント型携帯電話とすることができる。音響装置３３０は、例えば、ＭＰ３携帯用ヘッドホンステレオ、ＣＤ携帯用ヘッドホンステレオ、テレビ、ラジオ、ＶＣＤ（ビデオＣＤ）プレーヤー、ＤＶＤプレーヤー、ノート型パソコン、パーソナル・デジタル・アシスタント（ＰＤＡ）、カーオーディオ、ホームオーディオ、または音声情報を提供する任意の音響装置とすることができる。音響装置３３０のオーディオ出力ポート３３５の形式は、雌型ジャック（female jack ）またはその他の形式を採用することができる。ステレオ・ヘッドセット・マイクロホン３００は、例えば、２つのスピーカー３０２，３０４および１つのマイクロホン３０６を備える。
【００１７】
ブルートゥース装置２００の内部には、主要には、オーディオ出力ポート２１０とオーディオ入力ポート２２０とブルートゥース送受信器（第２ブルートゥース送受信器）２３０とを設けている。第２ブルートゥース送受信器２３０は、オーディオ出力ポート２１０に接続されている。第２ブルートゥース送受信器２３０は、ブルートゥース技術により移動通信装置３６０の第１ブルートゥース送受信器３６５に呼応し、これにより移動通信装置３６０の提供する信号（例えば音楽、音声、文字その他の情報）を送受信する。オーディオ入力ポート２２０は、音響装置３３０のオーディオ出力ポート３３５に接続されるが、その接続方式は、例えば、リード線３７０により接続されるようになっている。リード線３７０は、一般的なオーディオ信号線とすることができる。オーディオ入力ポート２２０およびブルートゥース送受信器２３０は、それぞれオーディオ出力ポート２１０に接続されている。ステレオ・ヘッドセット・マイクロホン３００は、オーディオ出力ポート２１０に接続することができる。オーディオ出力ポート２１０およびオーディオ入力ポート２２０の形式は、雌型ジャックまたはその他の形式を採用することができる。
【００１８】
一般の状況において、例えば、ＭＰ３プレーヤーの音響装置３３０が提供する音声信号は、順番にリード線３７０およびブルートゥース装置２００を経てオーディオ出力ポート２１０に接続されているステレオ・ヘッドセット・マイクロホン３００へ伝送され、ブルートゥース装置２００のユーザーは、音響装置３３０の提供する音楽を楽しむことができる。この時、ブルートゥース送受信器２３０は待機状態にあり、それが移動通信装置３６０の提供する着信信号を受信した時、ブルートゥース装置２００がステレオ・ヘッドセット・マイクロホン３００へ伝送されている音声信号を自動的に移動通信装置３６０の提供する音声信号に切り換える。
【００１９】
上記した第１実施例中、ブルートゥース装置２００および音響装置３３０は、着脱可能なリード線３７０で接続を行っているが、リード線３７０もまたブルートゥース装置２００に固定することができる。言い換えれば、オーディオ入力ポート２２０もまた固定式のリード線によりブルートゥース装置２００の外へ延伸することができるとともに、音響装置３３０のオーディオ出力ポート３３５に挿入することができる。
【００２０】
＜第２実施例＞
図３は、この発明の第２実施例にかかるブルートゥース装置とステレオ・ヘッドセット・マイクロホンと移動通信装置と音響装置との接続関係を示す説明図であり、図４は、図３のブロック図である。図３および図４において、この第２実施例のブルートゥース装置２０２と第１実施例のブルートゥース装置２００との差異は、さらにマイクロホン２６０およびスピーカー２７０を追加しただけであるから、その他の同一部分については改めて説明しない。マイクロホン２６０およびスピーカー２７０は、いずれもブルートゥース送受信器２３０に接続されている。ブルートゥース装置２０２にマイクロホン２６０およびスピーカー２７０を追加したことによって、ブルートゥース装置２０２がステレオ・ヘッドセット・マイクロホン３００および音響装置３３０に接続されていない時でも、ブルートゥース装置２０２をユーザーの耳に直接かけて、着信信号を聞き取るブルートゥース・ヘッドセットとして使用することができる。しかも、ブルートゥース装置２０２も第１実施例の利点を保持している。つまり、ユーザーが音響装置３３０ならびにステレオ・ヘッドセット・マイクロホン３００を外部接続して音楽または放送などの音声情報を楽しむことができるが、移動通信装置３６０が着信信号を受信した時には、ブルートゥース装置２０２が自動的に電話（移動通信装置）を接続するので、ユーザーがステレオ・ヘッドセット・マイクロホン３００を介して通話することができる。
【００２１】
＜第３実施例＞
図５は、この発明の第３実施例にかかるブルートゥース・ヘッドセットと移動通信装置と音響装置との接続関係を示す説明図であり、図６は、図５のブロック図である。図５および図６において、この第３実施例のブルートゥース・ヘッドセット６００は、使用時に、上記したリード線３７０により音響装置３３０と接続するとともに、ブルートゥース技術を介して移動通信装置３６０と無線通信を行う。そのうち、リード線３７０、移動通信装置３６０および音響装置３３０は、いずれも上記した実施例と同一である。
【００２２】
ブルートゥース・ヘッドセット６００は、主要には、第１ユニット６１０、マイクロホン６２０および第２ユニット６３０から構成される。第１ユニット６１０には、スピーカー６１２とブルートゥース送受信器（第２ブルートゥース送受信器）６１４とオーディオ入力ポート６１８とが内蔵されている。スピーカー６１２は、ブルートゥース送受信器６１４とオーディオ入力ポート６１８とに接続されている。ブルートゥース送受信器６１４は、ブルートゥース技術を介して移動通信装置３６０のブルートゥース送受信器（第１ブルートゥース送受信器）３６５に呼応し、これにより移動通信装置３６０の提供する信号（例えば音楽、音声、文字またはその他の信号）を送受信するものである。オーディオ入力ポート６１８は、リード線３７０により音響装置３３０のオーディオ出力ポート（第１オーディオ出力ポート）３３５に接続される。マイクロホン６２０は、ブルートゥース送受信器６１４に接続されている。第２ユニット６３０は、スピーカー６３２を内蔵し、かつスピーカー６３２がブルートゥース送受信器６１４とオーディオ入力ポート６１８とに接続されている。
【００２３】
上記した２実施例と同様に、ブルートゥース・ヘッドセット６００は、使用時に、リード線３７０により例えばＭＰ３プレーヤーなどの音響装置３３０に接続されるとともに、音響装置３３０が提供する音声信号をリード線３７０を経てブルートゥース・ヘッドセット６００のスピーカー６１２，６３２へ伝送し、ユーザーが音響装置３３０の提供する音楽を楽しめるようにする。この時、ブルートゥース送受信器６１４は待機状態にあり、移動通信装置３６０の提供する着信信号を受信した場合には、ブルートゥース・ヘッドセット６００がスピーカー６１２，６３２へ伝送している音声信号を自動的に移動通信装置３６０の提供する音声信号に切り換える。
【００２４】
ブルートゥース・ヘッドセット６００中、第２ユニット６３０に電池６３４を内蔵しておりので、この電池６３４によってブルートゥース・ヘッドセット６００の必要とする電力を供給することができる。
【００２５】
注目すべきことは、この発明の主要な技術思想が移動通信装置のブルートゥース通信機能による音声信号およびその他の音響装置のステレオ音声信号を単一機器により送受信することにあるということである。このようにして、ユーザーは、ステレオ・ヘッドセット・マイクロホンにより音響装置のもたらす聴覚的な楽しみを味わえると同時に、ブルートゥース送受信器により移動通信装置と接続して適時に電話を受信することができる。
【００２６】
以上のごとく、この発明を好適な実施例により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【００２７】
上記構成により、この発明にかかる音響装置に外部接続可能なブルートゥース装置および音響装置に外部接続可能なブルートゥース・ヘッドセットは、ブルートゥース装置およびブルートゥース・ヘッドセットの信号自動切換機能によって、ブルートゥース携帯電話のユーザーが電話の着信を待ちながら、同時に、外部接続した音響装置の提供するＭＰ３、放送などの音声情報を楽しむことができ、しかも適時に電話を受信できて重要な電話を受け損ねる心配がないものである。従って、産業上の利用価値が高い。
【図面の簡単な説明】
【００２８】
【図１】この発明の第１実施例にかかるブルートゥース装置と音響装置と移動通信装置との接続関係を示す説明図である。
【図２】図１のブロック図である。
【図３】この発明の第２実施例にかかるブルートゥース装置と音響装置と移動通信装置との接続関係を示す説明図である。
【図４】図３のブロック図である。
【図５】この発明の第３実施例にかかるブルートゥース・ヘッドセットと移動通信装置と音響装置との接続関係を示す説明図である。
【図６】図５のブロック図である。
【符号の説明】
【００２９】
２００，２０２  ブルートゥース装置
２１０  第２オーディオ出力ポート
２２０，６１８  オーディオ入力ポート
２３０，６１４  第２ブルートゥース送受信器
２５０，６３４  電池
２６０，３０６，６２０  マイクロホン
２７０，３０２，３０４，６１２，６３２  スピーカー
３００  ステレオ・ヘッドセット・マイクロホン
３３０  音響装置
３３５  第１オーディオ出力ポート
３６０  移動通信装置
３７０  リード線
６００  ブルートゥース・ヘッドセット
６１０  第１ユニット
６３０  第２ユニット
【図１】
2006114940.tif 000003
【図２】
2006114940.tif 000004
【図３】
2006114940.tif 000005
【図４】
2006114940.tif 000006
【図５】
2006114940.tif 000007
【図６】
2006114940.tif 000008